(57)【要約】【課題】  従来の置物空間が単一形式のみで創意が全くないと言う欠陥を改良して回転できる置物ボックスを提供する。【解決手段】  複数の隔てる上ボックス１０および複数の隔てる下ボックス２０を具有し、下ボックス２０毎が上ボックス１０毎の下方空間１４における垂直側辺に接続されるので、下ボックス２０と上ボックス１０とが相対的に回転でき、下ボックス２０を上ボックス１０の下方に一直線に重畳して、又は上、下ボックス１０、２０を回してずらし、物品を放置する回転できる置物ボックスである。【選択図】    図１
0003103705.tif 000002
【実用新案登録請求の範囲】
【請求項１】
回転可能な置物ボックスにおいて、
上ボックスおよび下ボックスを有し、上ボックスの下方に下空間が形成され、下ボックスが接続プレートで上ボックスの垂直側辺に接続され、下ボックスと上ボックスとが水平方向に沿って相対的に回転可能であり、下ボックスを上ボックスの下方に重畳して、下ボックスを上ボックスの投影面積の外へ移出することが可能であり、上ボックスおよび下ボックスは異なる形状を採用可能であることを特徴とする置物ボックス。
【請求項２】
上ボックスおよび下ボックスの各側板は、繊維布の中に硬質の板を覆うことにより形成され、上ボックスおよび下ボックスの側壁の折り曲げる箇所に折り目が設けられ、置物箱を扁平状まで折り畳み、利便に収納、ストック可能であることを特徴とする請求項１に記載の置物ボックス。
【請求項３】
前記置物ボックスは竹の材料で作られ、固定板は相互にずらされている上ボックスおよび下ボックスの側壁を接続、固定し、固定板の両端に雄ボタンが設置され、上ボックスおよび下ボックスに設けた雌ボタンにロックされることを特徴とする請求項２に記載の置物ボックス。
【考案の詳細な説明】
【技術分野】
【０００１】
本考案は置物ボックスに関するものである。
【背景技術】
【０００２】
従来から、既存の置物ボックスには多く種類がある。例えば、体積を縮めて利便に収納、ストック、運輸するために、軟質の布で矩形のボックスを作るものがある。それは、矩形のボックスの上端にそれぞれ上水平ロッドを設置し、ボックスの下端の向き合う両辺にそれぞれ下水平ロッドを設置する。ボックスの四つの垂直辺にそれぞれ縦立ロッドを設置する。また、隣接の上水平ロッドの端部の間、隣接の下水平ロッドの端部の間、縦立ロッドと上、下水平ロッドの端部との間に、適当な距離を保持する。ボックスの各垂直壁面に、対角交叉の折り目が形成される。そのような結構により、軟質のボックスは縦立ロッド、上水平ロッド、下水平ロッドの支持で物品を放置するという置物ボックスとなり、それをねじまげると扁平状に折り畳むことができる。
【考案の開示】
【考案が解決しようとする課題】
【０００３】
前掲の従来から既存の置物箱は折り畳み機能があるが、その置物空間が従来の単一形式のみで、創意が全くないと言える。ゆえに、本考案は従来から既存の置物箱の欠陥を改良して回転可能な置物ボックスを提供することにある。
【課題を解決するための手段】
【０００４】
上記課題を解決するための本考案の置物ボックスは、複数の隔てる上ボックスおよび複数の隔てる下ボックスを具有する。下ボックス毎が上ボックス毎の下方空間における垂直側辺に接続されるので、下ボックスと上ボックスとが相対的に回転でき、下ボックスを上ボックスの下方に一直線に重畳して、又は上、下ボックスを回してずらし、物品を放置する。
【０００５】
また、本考案の置物ボックスは、帆布で上ボックスおよび下ボックスを作る。上、下ボックスの側壁には、折り目が形成されるので、置物ボックスが扁平状まで折られ、利便に、収納、ストックすることができる。
【０００６】
また、本考案の置物ボックスには、剛性の固定プレートを提供し、固定プレートの両端に雄のボタンを設ける。上ボックスおよび下ボックスの側壁に、それぞれ上雌ボタン、下雌ボタンを設ける。下ボックスと上ボックスとをずらしたあとで、固定プレートの両端における雄のボタンと前掲の上雌ボタン、下雌ボタンとを経由してロックすると、両者を接続、固定することができる。
また、本考案の置物ボックスは、竹の材料でボックスを作る。
また、本考案の置物ボックスは、矩形又は円桶形にも適用できる。
【考案を実施するための最良の形態】
【０００７】
本考案の目的、特徴および効果などを、以下にさらに具体的な実施例に図面をあわせて詳しく説明する。
まずは図１を参照する。それは本考案の第一実施例による置物ボックスであり、矩形の置物ボックスを採用して置物ボックスの上方にカバー４２を覆う状態を示す。
図２を参照する。それは本考案の第一実施例の結構において、カバー４２を置物ボックスから取り出し、置物ボックスの上ボックス１０と下ボックス２０とを相互に回しながらずらしたあとの状態を示す。上ボックス１０と下ボックス２０とは皆、軟質の布（例えば、帆布）で作られる。上、下ボックス１０、２０の四つの垂直隅、水平隅の内部に剛性のロッドを覆うので、ボックスの輪郭が張られ立てられる。また、上、下ボックス１０、２０の内底面に硬質のプレート４０を放置することにより、底面は物品を放置する十分な強さを持つ。上ボックス１０の側辺および後方から下へ向かって、側壁が伸ばされる。Ｌ形の側壁で、上ボックス１０の下方の下空間１４が形成される。上ボックス１０の上置物空間１２には、物品を放置することも出来る。上ボックス１０の外側面には、別に第一固定ユニット１８を設置する。上ボックス１０の側壁面に、いくつかの折り目１６が成型される。上ボックス１０に一番接近する下ボックス２０の外側面に、一枚の支持板２８を縫い合わせる。そして、支持板２８が下ボックス２０に向き合うように回転できる。
【０００８】
下ボックス２０の側辺と後方とは、皆、側壁が上へ向かって伸ばされる。Ｌ形の側壁で、下ボックス２０の上方の空間が形成される。下ボックス２０の下置物空間２２には、物品を放置することも出来る。下上ボックス２０の外側面には、別に第二固定ユニット３６を設置する。下ボックス２０の側壁面に、いくつかの折り目２４が成型される。上ボックス１０と下ボックス２０との垂直方向の隅を接続プレート３８で接続するので、上ボックス１０と下ボックス２０とは水平方向に沿って相対的に回転でき、下ボックス２０を上ボックス１０の下空間１４に収容して、図１に示すように垂直方向で上ボックス１０に重畳する。又、下ボックス２０を上ボックス１０の投影面積の外から相互にずらして移出することができる。よって、物品を上ボックス１０と下ボックス２０との上、下置物空間１２、２２に放置することができる。
【０００９】
上、下ボックス１０、２０が軟質の布で作られるので、両者１０、２０を相互にずらしているうちに上ボックス１０は支持の作用を失い、落下する。そのために、本実施例の提供する剛性支持板２８が上ボックス１０の下方まで回転し、図２に示すように上ボックス１０を支持する。本実施例により、支持板２８を折り収めると、上、下ボックス１０、２０の折り目に沿って図４のように置物ボックスを扁平状まで折り畳むことができる。
【００１０】
複数層の上、下ボックスの設計ならば、一枚の支持板だけですべての上ボックスを支持することができない。そして、本実施例は剛性の固定板３０を提供する。固定プレート３０の両端に、雄のボタン３２を設ける。二つの雄のボタン３２を上、下ボックス１０、２０の上雌ボタン、下雌ボタン（図面に示せず）にロックすると、固定板３０は両者１０、２０を図３に示すように接続、固定される。下ボックス２０から上方へ伸ばされる側壁の内径が殆ど上ボックス１０の外径と等しいので、下ボックス２０を上ボックス１０の下方に重畳するときに下ボックス２０の側壁が上ボックス１０の側壁の外に被覆される。置物ボックスを容易に持ち歩くために、本実施例は下ボックス２０と上ボックス１０との相対する外側にも取っ手３４を設置して、ユーザが利便に両手で置物ボックスを提げることができる。使用しないときには、述べた折り目１６、２４（図１、図２に示すような点線）に沿って、それを図４に示すように扁平状まで折り畳む。そして、置物ボックスの体積を縮めて利便に収納、運輸、ストックすることができる。
【００１１】
その他、本考案の第二実施例による置物ボックスは二つ又は四つ又は多数の上ボックス１０を間隔をあけて、垂直排列に設置してもよい。さらに二つ又は四つ又は多数の下ボックス２０を間隔をあけて排列し、二つの上ボックス１０の間に設置する。下ボックス２０毎が上ボックス１０毎の下方空間における垂直側辺に接続されるので、下ボックスと上ボックスとが相対的に回転でき、下ボックスを上ボックスの下方に一直線に重畳して、又は上、下ボックスを回してずらし、図５、および図６に示すように物品を放置する。
【００１２】
図７、および図８を参照する。本考案の第三実施例による置物ボックスは円桶状の上ボックス１０および下ボックス２０を採用する。上ボックス１０の下方に、下ボックス２０を収納する下空間１４が形成される。上ボックス１０の下方に、下方へ伸ばされる側壁がある。下ボックス２０を前掲の接続プレートで上ボックス１０の側壁の垂直辺に接続する。そして下ボックス２０と上ボックス１０とが相対的に回転でき、下ボックス２０を上ボックス１０の下方に収容し、又は上ボックス１０の投影面積の外へ回しながらずらして移出することができる。
【００１３】
図９を参照する。本考案の第四実施例による置物ボックスは竹の材料で上ボックスと下ボックスとを編む。また、ヒンジ２６で上ボックス１０と下ボックス２０とを接続するので、上ボックス１０と下ボックス２０とが相対的に回転でき、前述の効果を遂げる。
【図面の簡単な説明】
【００１４】
【図１】本考案の第一実施例による置物ボックスを閉じるときの状態を示す外観斜視図である。
【図２】本考案の第一実施例による置物ボックスの上ボックスと下ボックスとを回しながらずらしたあとの状態を示す分解斜視図である。
【図３】本考案の第一実施例による置物ボックスの上ボックスと下ボックスとを回しながらずらしたあとで、固定プレートで上ボックスと下ボックスとをセットする状態を示す外観斜視図である。
【図４】本考案の第一実施例による置物ボックスを扁平状まで折る状態を示す外観斜視図である。
【図５】本考案の第二実施例による置物ボックスは二つグループ以上の上ボックスと二つグループ以上の下ボックスとを利用して、複数層の置物ボックスを構成する状態を示す外観斜視図である。
【図６】本考案の第二実施例による置物ボックスは四つグループ以上の上ボックスと四つグループ以上の下ボックスとを利用して、複数層の置物ボックスを構成する状態を示す外観斜視図である。
【図７】本考案の第三実施例による置物ボックスにおいて円桶形を採用し閉じる状態を示す外観斜視図である。
【図８】図７の円桶形置物ボックスの上ボックスと下ボックスとを回しながらずらす状態を示す外観図である。
【図９】本考案の第八実施例による置物ボックスを竹の材料で作った状態を示す外観斜視図である。
【符号の説明】
【００１５】
１０  上ボックス、２０  下ボックス、１４  下空間、１２  上置物空間、１８、３６固定ユニット、１６、２４  折り目、２８  支持板、２２  下置物空間、３８  接続プレート、３０  固定板、３２  雄ボタン、３４  取っ手、４２  カバー、４０  硬質のプレート、２６  ヒンジ
【図１】
0003103705.tif 000003
【図２】
0003103705.tif 000004
【図３】
0003103705.tif 000005
【図４】
0003103705.tif 000006
【図５】
0003103705.tif 000007
【図６】
0003103705.tif 000008
【図７】
0003103705.tif 000009
【図８】
0003103705.tif 000010
【図９】
0003103705.tif 000011